(57)【要約】【課題】本考案は、湯水が顔面に飛散したときに被施術者の鼻に入ることがなく施術の障害にもならず、かつ、新型コロナウイルスの感染に対しても有効に防止できる使い捨てマスクを提供する。【解決手段】本考案は、理美容の被施術者に使用する耳掛け紐のないマスクであって、前記マスクの本体は横方向が長い竹を原料とした竹繊維の長方形の不織布からなり、該マスクの本体の両サイドには帯状の粘着帯が形成され、前記マスクの本体を被施術者の口に当てたときには口の左右の口角を覆うとともに鼻尖および下唇を覆う、構成とした。【選択図】図１
0003233562.tif 000002
【実用新案登録請求の範囲】
【請求項１】
理美容の被施術者に使用する耳掛け紐のないマスクであって、
前記マスクの本体は横方向が長い竹を原料とした竹繊維の長方形の不織布からなり、該マスクの本体の被施術者の顔面に接する面の両サイドには帯状の粘着帯が形成され、
前記マスクの本体を被施術者の口に当てたときには口の左右の口角を覆うとともに鼻尖および下唇を覆う、ことを特徴とする抗菌性を有する理美容用マスク。
【請求項２】
前記マスクは横の長さは概ね１５０ｍｍ、縦の長さは概ね９０ｍｍであり、前記粘着帯の幅は概ね１５ｍｍであって該粘着帯にはアクリル系粘着剤が塗布されている、ことを特徴とする請求項１に記載の抗菌性を有する理美容用マスク。
【考案の詳細な説明】
【技術分野】
【０００１】
本考案は理美容院などで施術時に被施術者が着用する抗菌性のある使い捨てマスクに関する。
【背景技術】
【０００２】
理美容院などで洗髪等を行なう場合、被施術者が仰向けの姿勢となった状態のまま洗髪を行なうことが多い。
【０００３】
しかしながら、被施術者が仰向けの状態で洗髪等を行なう場合には、湯水が顔面に飛散したときに、目や鼻に入り易い、という問題を有していた。さらに、被施術者の顔面と施術者の顔面が相対する状態となることから、昨今のコロナ禍にあっては、互いの顔面が相対する状態となることは新型コロナウイルスの飛沫感染防止の観点から避けることが望ましいが、被施術者がマスクを着用すると、マスクの耳掛け紐が施術の邪魔となる。
【０００４】
そこで、湯水が顔面に飛散したときに、目や鼻に入り易い、という問題を解決するために提案された発明が、例えば、特許文献１に開示されている。
【０００５】
特許文献１に開示の発明は、発明の名称「理・美容用顔カバー」に係り、「理容及び美容において、髪の毛をシャンプーする際、洗髪者の顔面にシャンプー液や水などが付着しないように工夫した構成簡易な顔カバーである。」を課題としていて、その解決手段を「薄いフィルム体の一面に、これと同形状若しくは小形状の布や紙などの薄物体の少なくとも一部を接着し、フィルム体のほぼ中央部に薄物体と共に、切り込み部を構成する。」としている。しかしながら、特許文献１に開示の発明では、くしゃみや咳等による被施術者からの飛沫を防止することはできず、新型コロナウイルスの飛沫感染に対しては無防備に等しい。
【０００６】
一方で、出願人は竹繊維が有する抗菌性に着目して、鋭意、開発を進めてきた。その成 果は、特許文献２に開示されていて、当文献には竹繊維ガーゼの製造方法が開示されている。また、特許文献２の段落〔００１０〕ないし〔００１２〕には「殺菌竹繊維ガーゼ」が抗菌性の効果を有することが示されており、さらに、この「殺菌竹繊維ガーゼ」には「吸湿性」、「保湿性」および「制電性」を有することが、その後に判明している。
【先行技術文献】
【特許文献】
【０００７】
【特許文献１】特開平１１-１７８６３７号公報
【特許文献２】特開２００６−０４３３７０号公報
【考案の概要】
【考案が解決しようとする課題】
【０００８】
そこで、本考案は、湯水が顔面に飛散したときに被施術者の鼻に入ることがなく施術の障害にもならず、かつ、新型コロナウイルスの感染に対しても有効に防止できる使い捨てマスクを提供することを課題とする。
【課題を解決するための手段】
【０００９】
上記課題を達成するために、本願請求項１に係る抗菌性を有する理美容用マスクは、理美容の被施術者に使用する耳掛け紐のないマスクであって、前記マスクの本体は横方向が長い竹を原料とした竹繊維の長方形の不織布からなり、該マスクの本体の被施術者の顔面に接する面の両サイドには帯状の粘着帯が形成され、前記マスクの本体を被施術者の口に当てたときには口の左右の口角を覆うとともに鼻尖および下唇を覆う、ことを特徴としている。
また、本願請求項２に係る抗菌性を有する理美容用マスクは、請求項２に記載の抗菌性を有する理美容用マスクであって、前記マスクは横の長さは概ね１５０ｍｍ、縦の長さは概ね９０ｍｍであり、前記粘着帯の幅は概ね１５ｍｍであって該粘着帯にはアクリル系粘着剤が塗布されている、ことを特徴としている。
【考案の効果】
【００１０】
（１）理美容用マスクは耳掛け紐がなく、その代りにマスクの本体の両サイドに形成された帯状の粘着帯により被施術者の顔面に容易に貼着して使用することができるので、「ヘアカラー施術時に耳掛け紐が汚れてしまう」ことや「シャンプー時に耳掛け紐が濡れてしまう」ことがない。また、マスクを着脱する煩わしさがなく、被施術者は快適に施術を受けることができる。
（２）マスクの本体を被施術者の口に当てたときには口の左右の口角を覆うとともに鼻尖および下唇を覆うので、くしゃみや咳による飛沫が飛散することを防止できる。さらに、マスクの本体が竹繊維の不織布なので、竹繊維の本来の効果である「抗菌性」、「吸湿性」、「保湿性」および「制電性」がそのまま発揮されてウイルス感染（侵入）を完全に防止するばかりでなく、使用中あるいは使用後に皮膚のはれ、かぶれ、かゆみ等の皮膚異常が生じない。なお、本明細書においては、マスクを着用したときに顔面に接する側をマスクの裏面としている。
（３）粘着帯に塗布される粘着剤にはアクリル系のものが使用されているので、竹繊維の不織布と同様に、皮膚のはれ、かぶれ、かゆみ等の皮膚異常が生じない。
【図面の簡単な説明】
【００１１】
【図１】図１は、実施例に係る理美容用マスクの裏面図である。
【考案を実施するための形態】
【００１２】
本発明を実施するための形態に係る実施例について、図１を参照して説明する。なお、図１において、符号１は実施例に係る理美容用マスク、符号１０はマスクの本体、符号２０は粘着帯、である。
【００１３】
理美容用マスク１はマスクの本体１０とマスクの本体１０の両サイドに形成された１対の粘着帯２０から構成されている。そして、マスクの本体１０は横の長さが１５０ｍｍ、縦の長さが９０ｍｍの長方形であり、粘着帯２０の幅は１５ｍｍでマスクの本体１０の縦方向に形成されている。
【００１４】
マスクの本体１０は竹を原料とした竹繊維の１枚の不織布を使用していて、その両サイドにアクリル系粘着剤が使用された両面粘着テープを粘着して粘着帯２０が形成される。理美容用マスク１の使用は施術時の短時間であり,使い捨てであることから１枚の不織布でもその効果は十分に発揮され、使用後は被施術者が持ち帰って、マスクのインナーとして使用することができる。
【００１５】
ここで、理美容用マスク１の使用方法例について説明する。
理美容用マスク１の粘着帯２０の剥離紙をはがして、横になった被施術者の口の左右の口角、鼻尖および下唇を覆うようにしてマスクの本体１０をあてがい、理美容用マスク１を顔面に粘着して固定する。マスクの本体１０の横方向は粘着帯がなく、被施術者の顔面に粘着されていないので、施術中の被施術者の呼吸は楽に行える。
【図１】
0003233562.tif 000003